(57)【要約】【課題】安定した記録紙の積載を可能にする記録紙スタッカを提供する。【解決手段】排出口から排出された記録紙を積載する記録紙スタッカであって、排出口側が深くなるように傾斜し、排出口側のスタッカ壁に対して回動可能に設けられた記録紙保持板を有し、記録紙保持板は積載された記録紙の重さによって傾斜が変化するように付勢手段（たとえばコイルバネ）によって上方向に付勢される。記録紙保持板の先端部にはシートあるいはブラシが設けられ、シートあるいはブラシと記録紙誘導板とが重なった状態で記録紙保持板が記録紙誘導板に沿って回動可能であり、記録紙保持板の回動によって記録紙保持板と記録紙誘導板とがなす側面方向からみた角度が変化し、排出口から排出された記録紙が記録紙保持板の上に記録紙誘導板に誘導されて積載される。【選択図】図１
2011057453.tif 000002
【特許請求の範囲】
【請求項１】
排出口から排出された記録紙を積載する記録紙スタッカであって、
前記排出口側が深くなるように傾斜し、前記排出口側のスタッカ壁に対して回動可能に設けられた記録紙保持板と、
前記記録紙保持板に積載された前記記録紙の重さによって前記記録紙保持板の傾斜が変化するように、前記記録紙保持板を上方向に付勢する付勢手段と、
前記排出口側のスタッカ壁の壁面に設けられた複数の記録紙誘導板と、
を有し、前記記録紙保持板の先端部には前記記録紙誘導板の間に伸びるシートが設けられ、当該シートと前記複数の記録紙誘導板とが重なった状態で前記記録紙保持板が前記複数の記録紙誘導板に沿って回動可能であり、前記記録紙保持板の回動によって前記記録紙保持板と前記複数の記録紙誘導板とがなす側面方向からみた角度が変化し、前記排出口から排出された記録紙が前記記録紙保持板の上に前記複数の記録紙誘導板に誘導されて積載される、ことを特徴とする記録紙スタッカ。
【請求項２】
排出口から排出された記録紙を積載する記録紙スタッカであって、
前記排出口側が深くなるように傾斜し、前記排出口側のスタッカ壁に対して回動可能に設けられた記録紙保持板と、
前記記録紙保持板に積載された前記記録紙の重さによって前記記録紙保持板の傾斜が変化するように、前記記録紙保持板を上方向に付勢する付勢手段と、
前記排出口側のスタッカ壁の壁面に設けられた複数の記録紙誘導板と、
を有し、前記記録紙保持板の先端部には少なくとも前記記録紙誘導板の間にブラシが設けられ、当該ブラシと前記複数の記録紙誘導板とが重なった状態で前記記録紙保持板が前記複数の記録紙誘導板に沿って回動可能であり、前記記録紙保持板の回動によって前記記録紙保持板と前記複数の記録紙誘導板とがなす側面方向からみた角度が変化し、前記排出口から排出された記録紙が前記記録紙保持板の上に前記複数の記録紙誘導板に誘導されて積載される、ことを特徴とする記録紙スタッカ。
【請求項３】
前記ブラシは弾性材料で形成され、前記記録紙保持板の少なくとも先端部の全域に渡って設けられていることを特徴とする請求項２に記載の記録紙スタッカ。
【発明の詳細な説明】
【技術分野】
【０００１】
本発明は搬送機構により排出された記録紙を保持する記録紙スタッカに関する。
【背景技術】
【０００２】
プリンタやファクシミリ装置などでは、画像記録あるいは印字を行った記録紙を搬送し記録紙スタックに排出する構成が採用されている。スキャナなどの画像読み取り装置でも同様の記録紙搬送および排出処理が行われている。このような記録紙スタックでは、装置を小型化するために、記録紙保持面を排出口側に深く傾斜させてその上に記録紙を順次スタックさせる構成が一般的である。
【０００３】
しかしながら、このような記録紙スタッカでは、記録紙のスタック枚数が増大すると記録紙が排出口を塞いでしまいペーパージャムを引き起こすことがある。これを回避するために、特開２０００−７２３１２号公報（特許文献１）には、スタッカの排出口側を軸としてスプリングにより上方向に付勢し、記録紙の積載により徐々に下方向に移動するスタッカ構成が提案されている。
【０００４】
また、実開平２−７２２６５号公報（特許文献２）には、記録紙の排出枚数をカウントして、排出枚数が所定カウント値になると記録紙支持部の排出口側を下方に回動させて積載した記録紙を記録紙収納箱に落とす記録紙受けトレイが開示されている。
【先行技術文献】
【特許文献】
【０００５】
【特許文献１】特開２０００−７２３１２号公報
【特許文献２】実開平２−７２２６５号公報
【発明の概要】
【発明が解決しようとする課題】
【０００６】
しかしながら、上述した記録紙スタッカあるいは記録紙受けトレイでは、カールした記録紙がスタックされた時、その記録紙が排出口を塞いでしまい、次に排出される記録紙によってスタッカから押し出されることがある。
【０００７】
また、記録紙を積載する記録紙支持部が回動する構成では、記録紙の積載量を限られたスペースでできるだけ大きくするために記録紙支持部の傾斜を大きくしようとすると、積載した記録紙が記録紙支持部と記録紙スタック壁の隙間に落下するという問題が生じる。
【０００８】
本発明の目的は、安定した記録紙の積載を可能にする記録紙スタッカを提供することにある。
【課題を解決するための手段】
【０００９】
本発明による記録紙スタッカは、
排出口から排出された記録紙を積載する記録紙スタッカであって、
前記排出口側が深くなるように傾斜し、前記排出口側のスタッカ壁に対して回動可能に設けられた記録紙保持板と、
前記記録紙保持板に積載された前記記録紙の重さによって前記記録紙保持板の傾斜が変化するように、前記記録紙保持板を上方向に付勢する付勢手段と、
前記排出口側のスタッカ壁の壁面に設けられた複数の記録紙誘導板と、
を有し、前記記録紙保持板の先端部には前記記録紙誘導板の間に伸びるシートが設けられ、当該シートと前記複数の記録紙誘導板とが重なった状態で前記記録紙保持板が前記複数の記録紙誘導板に沿って回動可能であり、前記記録紙保持板の回動によって前記記録紙保持板と前記複数の記録紙誘導板とがなす側面方向からみた角度が変化し、前記排出口から排出された記録紙が前記記録紙保持板の上に前記複数の記録紙誘導板に誘導されて積載される、ことを特徴とする。
【００１０】
本発明による記録紙スタッカは、
排出口から排出された記録紙を積載する記録紙スタッカであって、
前記排出口側が深くなるように傾斜し、前記排出口側のスタッカ壁に対して回動可能に設けられた記録紙保持板と、
前記記録紙保持板に積載された前記記録紙の重さによって前記記録紙保持板の傾斜が変化するように、前記記録紙保持板を上方向に付勢する付勢手段と、
前記排出口側のスタッカ壁の壁面に設けられた複数の記録紙誘導板と、
を有し、前記記録紙保持板の先端部には少なくとも前記記録紙誘導板の間にブラシが設けられ、当該ブラシと前記複数の記録紙誘導板とが重なった状態で前記記録紙保持板が前記複数の記録紙誘導板に沿って回動可能であり、前記記録紙保持板の回動によって前記記録紙保持板と前記複数の記録紙誘導板とがなす側面方向からみた角度が変化し、前記排出口から排出された記録紙が前記記録紙保持板の上に前記複数の記録紙誘導板に誘導されて積載される、ことを特徴とする。
【発明の効果】
【００１１】
本発明によって安定した記録紙の積載が可能となる。
【図面の簡単な説明】
【００１２】
【図１】（Ａ）は本発明の第１実施例による記録紙スタッカの構成を示す側面断面図、（Ｂ）は記録紙が積載された時の記録紙スタッカの状態を示す側面断面図である。
【図２】（Ａ）は図１（Ａ）の記録紙スタッカの記録紙保持板および記録紙誘導板の形状および位置関係を示す平面図、（Ｂ）は図１（Ａ）の記録紙スタッカを正面側から観た記録紙排出部の構成図、である。
【図３】図１（Ａ）の記録紙スタッカに記録紙が排出される状態の一例を示す斜視図である。
【図４】図１（Ａ）の記録紙スタッカの記録紙保持板および記録紙誘導板の形状および位置関係を示す斜視図である。
【図５】図５は本発明の第２実施例による記録紙スタッカの記録紙保持板および記録紙誘導板の形状および位置関係を示す斜視図である。
【図６】図５の記録紙スタッカの記録紙保持板および記録紙誘導板の形状および位置関係を示す平面図である。
【図７】本発明の第３実施例による記録紙スタッカの記録紙保持板および記録紙誘導板の形状および位置関係を示す平面図である。
【発明を実施するための形態】
【００１３】
図１（Ａ）は本発明の第１実施例による記録紙スタッカの構成を示す側面断面図、図１（Ｂ）は記録紙が積載された時の記録紙スタッカの状態を示す側面断面図、図２（Ａ）は図１（Ａ）の記録紙スタッカの記録紙保持板および記録紙誘導板の形状および位置関係を示す平面図、図２（Ｂ）は図１（Ａ）の記録紙スタッカを正面側から観た記録紙排出部の構成図、図３は図１（Ａ）の記録紙スタッカに記録紙が排出される状態の一例を示す斜視図、図４は図１（Ａ）の記録紙スタッカの記録紙保持板および記録紙誘導板の形状および位置関係を示す斜視図である。以下、図１〜図４を参照しながら本発明の第１実施例による記録紙スタッカの構成および動作について詳細に説明する。
【００１４】
図１に示すように、記録紙を排出する排出部１００と支持台１０１との間には、排出部１００に近づくほど深くなる傾斜面が設けられ、その傾斜面に記録紙保持板１０２が保持板取付軸１０３を中心に回動可能に設けられている。本実施例における保持板取付軸１０３は、排出部１００に対抗した傾斜面の上端部に位置する。記録紙保持板１０２は支持台１０１上に設けられたコイルバネ１０４によって上向きに（白抜き矢印方向に）付勢されている。コイルバネ１０４は付勢手段の一例であり、バネ性を有する部材あるいは材料を用いてもよい。たとえば、バネ性を有するスポンジ、ゴム、板バネ、片持ちばり状のモールド部材などが使用可能である。また、ここでは図２（Ｂ）および図３に示すように２個のコイルバネ１０４を設けて記録紙保持板１０２を安定させているが、記録紙保持板１０２の重さや大きさを考慮して適切な個数を使用すればよい。
【００１５】
記録紙が積載していないときには、記録紙保持板１０２は、図１（Ａ）に示すように、水平方向に対して一定の角度（緩い傾斜）に維持される。したがって、副走査方向にカールした記録紙１０８が積載してもカールの更なる悪化を防止できる。そして記録紙が積載するに従って、その記録紙の重さにより記録紙保持板１０２はコイルバネ１０４の付勢力に抗して取付軸１０３を中心に下方へ移動し、徐々に傾斜角度が大きくなる。したがって、限られたスペースに多数の記録紙を排出できる。
【００１６】
排出部１００の記録紙積載側の壁には記録紙誘導板１０５が複数個設けられ、排出された記録紙を記録紙保持板１０２上に案内する。排出部１００には排出口１０６が設けられ、搬送ローラ１０７により搬送された記録紙１０８は排出口１０６を通して排出されると、記録紙誘導板１０５に沿って傾斜した記録紙保持板１０２上に落下する。したがって、排出された記録紙１０８は、図１（Ｂ）に示すように、記録紙保持板１０２上に記録紙誘導板１０５の形状に従って揃った記録紙スタック１０９を形成する。なお、記録紙誘導板１０５は排出された記録紙１０８を記録紙保持板１０２上に案内して揃った状態で積載させる機能を有するものであるから、記録紙ガイドや記録紙案内板と呼ぶこともできる。
【００１７】
記録紙保持板１０２の取付軸１０３を中心とした回動は、記録紙誘導板１０５の上下方向に沿って行われる。図２（Ａ）に示すように、記録紙保持板１０２の記録紙誘導板１０５に対応する位置に切欠部１０２ａがそれぞれ形成されており、切欠部１０２ａに記録紙誘導板１０５がそれぞれ入り込んでいる。すなわち、図１に示すように、側面から観た場合、記録紙保持板１０２の先端部分は記録紙誘導板１０５と重なった位置関係となる。したがって、記録紙誘導板１０５に沿って落下してくる記録紙１０８は、傾斜した記録紙保持板１０２から滑り落ちることなく、記録紙保持板１０２上に記録紙誘導板１０５によって揃った状態で安定して積載される。
【００１８】
図１（Ａ）に示すように、記録紙１０８が積載していないときには、記録紙保持板１０２は水平方向に対して一定の角度（緩い傾斜）に維持されているので、副走査方向にカールした記録紙１０８が積載しても、その表面は緩い傾斜で記録紙保持板１０２上に積載する。したがって、次の記録紙の先端が当該積載した記録紙１０８に当接しても、緩い傾斜面に当たるだけであるから、積載した記録紙の上に大きな抵抗無く滑るように重なって積載される。したがって、排出される記録紙が更に大きなカールを生じることを防止できる。そして図１（Ｂ）に示すように記録紙が積載するに従って、その記録紙の重さにより記録紙保持板１０２は、コイルバネ１０４の付勢力に抗して記録紙誘導板１０５に沿って下方へ回動し、徐々に傾斜角度が大きくなる。したがって、限られたスペースに多数の記録紙を排出できる。その際、記録紙保持板１０２の少なくとも先端部は常に記録紙誘導板１０５に重なった状態を維持するので、図１（Ｂ）に示すように、記録紙スタック１０９は、記録紙保持板１０２と記録紙誘導板１０５とにより形成されるスペースに、落下することなく安定して保持されうる。
【００１９】
２．その他の実施例
上記第１実施例では、図２（Ａ）に示すように、記録紙保持板１０２の記録紙誘導板１０５に対応する位置に切欠部１０２ａがそれぞれ形成されているがが、本発明のこれに限定されるものではない。以下、本発明の他の実施例について説明する。
【００２０】
図５は本発明の第２実施例による記録紙スタッカの記録紙保持板および記録紙誘導板の形状および位置関係を示す斜視図、図６は図５の記録紙スタッカの記録紙保持板および記録紙誘導板の形状および位置関係を示す平面図である。本実施例によれば、記録紙保持板１０２の先端部分には剛性の高いシート１０２ｂが記録紙誘導板１０５の間に入るように配列されている。従って、記録紙保持板１０２は先端部のシート１０２ｂによって常に記録紙誘導板１０５に重なった状態を維持することができ、図１（Ｂ）と同様に、記録紙スタック１０９は、記録紙保持板１０２と記録紙誘導板１０５とにより形成されるスペースに、落下することなく安定して保持されうる。
【００２１】
なお、シート１０２ｂを記録紙誘導板１０５のすべての間に配置する必要はない。シート１０２ｂの材質や記録紙スタックの安定性などを考慮して一定間隔でシート１０２ｂを設けてもよい。
【００２２】
図７は本発明の第３実施例による記録紙スタッカの記録紙保持板および記録紙誘導板の形状および位置関係を示す平面図である。本実施例によれば、記録紙保持板１０２の先端部分の全域に渡って導電ブラシ１０２ｃが設けられている。導電ブラシ１０２ｃは、その弾力性により記録紙誘導板１０５の間に入ることができる。記録紙保持板１０２は先端部のブラシ１０２ｃによって常に記録紙誘導板１０５に重なった状態を維持することができ、図１（Ｂ）と同様に、記録紙スタック１０９は、記録紙保持板１０２と記録紙誘導板１０５とにより形成されるスペースに、落下することなく安定して保持されうる。
【００２３】
なお、ブラシ１０２ｃを記録紙保持板１０２の先端部分の全域に渡って設ける必要はない。ブラシ１０２ｃの材質や記録紙スタックの安定性などを考慮して一定間隔でブラシ１０２ｃを設けることもできる。さらに、ブラシを導電性材料で形成すれば除電することもできる。
【００２４】
記録紙保持板１０２の先端部分は、シート１０２ｂやブラシ１０２ｃだけでなく、板バネのような弾性部材を用いても同様の効果を得ることができる。
【産業上の利用可能性】
【００２５】
本発明はプリンタやファクシミリ装置だけでなく、スキャナの記録紙スタッカにも適用可能であり、排出されたペーパーを順次積載する方式の記録紙スタッカ一般に適用可能である。
【符号の説明】
【００２６】
１００  記録紙排出部
１０１  支持台
１０２  記録紙保持板
１０２ａ  切欠部
１０２ｂ  シート
１０２ｃ  導電ブラシ
１０３  保持板取付軸
１０４  コイルバネ
１０５  記録紙誘導板
１０６  排出口
１０７  搬送ローラ
１０８  記録紙
１０９  記録紙スタック
【図１】
2011057453.tif 000003
【図２】
2011057453.tif 000004
【図３】
2011057453.tif 000005
【図４】
2011057453.tif 000006
【図５】
2011057453.tif 000007
【図６】
2011057453.tif 000008
【図７】
2011057453.tif 000009